(57)【要約】【課題】インフラ未整備の場所に設置される水処理システムであっても、循環水引抜管への原水の逆流を避け、原水流量の急激な増加に対して順応力を高める。【解決手段】実施形態の水処理システムは、処理対象の被処理水を嫌気性微生物群により嫌気性処理するリアクタと、前記リアクタにおいて得られた処理水とバイオガスとを分離するセパレータと、を備えている。そして調整槽は、原水をリアクタで処理され、セパレータにより分離された処理水の一部である循環水と混合して調整水としてリアクタに供給する。ここで、調整槽は、互いに隔壁により隔てられ、原水が貯留される原水貯留部分と、循環水が貯留される循環水貯留部分と、を有し、循環水は、隔壁を乗り越えてオーバーフローすることにより前記原水貯留部分側に一方的に流れ込むようにされている。【選択図】図１
2015120169.tif 000002
【特許請求の範囲】
【請求項１】
処理対象の原水を嫌気性微生物群により嫌気性処理するリアクタと、前記リアクタにおいて得られた処理水とバイオガスとを分離するセパレータと、を備えた水処理システムにおいて、
前記原水を前記リアクタで処理され、セパレータにより分離された処理水の一部である循環水と混合して調整水として前記リアクタに供給するための調整槽を有し、
前記調整槽は、互いに隔壁により隔てられ、前記調整水が貯留される原水貯留部分と、前記循環水が貯留される循環水貯留部分と、を有し、
前記循環水は、前記隔壁を乗り越えてオーバーフローすることにより前記原水貯留部分側に一方的に流れ込むようにされている、
水処理システム。
【請求項２】
前記隔壁の高さは、前記原水が前記隔壁を乗り越えてオーバーフローして、前記循環水貯留部分側に流れ込むことがないように、前記原水貯留部分における最大水量時の水面よりも十分に高く設定されている、
請求項１記載の水処理システム。
【請求項３】
前記原水貯留部分の底部からポンプを介して前記調整水を前記リアクタの下部に供給する、
請求項１または請求項２記載の水処理システム。
【発明の詳細な説明】
【技術分野】
【０００１】
本発明の実施形態は、水処理システムに関する。
【背景技術】
【０００２】
従来、嫌気状態で嫌気性微生物群によって、汚水中の有機物を低級脂肪酸の生成過程を経て、メタンと二酸化炭素に有機物を分解する嫌気性処理プロセスが知られており、嫌気性処理プロセスはいくつかの排水処理技術に適用されている。
その一つとして、汚水をリアクタの下部に供給し、上向流で嫌気性微生物層と接触させ、嫌気性微生物群の働きで水処理を行うとする上向流嫌気性汚泥床（ＵＡＳＢ：Ｕｐｆｌｏｗ  Ａｎａｅｒｏｂｉｃ  Ｓｌｕｄｇｅ  Ｂｅｄ）が知られている。
汚水中の有機物の除去を向上させるために、汚水と嫌気性微生物の接触する機会を増加する必要があり、そのため汚水の一部を循環させることにより攪拌効率を向上させ、汚水と嫌気性微生物の接触効率を向上させたシステムが提案されている。
しかし、給水の流量が上がる場合、反応槽内の上昇流速が上昇し、グラニュールの流出の原因となる可能性がある。
これを解決すべく、特許文献１記載の技術は、循環水を処理水と別に引抜く循環配管が設置されており、引き抜いた循環水をリアクタの外部に設置した調整槽に重力で流すようにされている。原水も調整槽に流入されることにより、原水と循環水を混合する。そして、混合水を給水としてリアクタの下部にポンプで供給し、処理水は従来と同様にオーバーフローで流出する構造となっている。
【先行技術文献】
【特許文献】
【０００３】
【特許文献１】米国特許第８，０２１，５５２号公報
【発明の概要】
【発明が解決しようとする課題】
【０００４】
しかしながら、従来技術においては、調整槽に流入している原水の流量が急激に増えた場合、循環水引抜管に逆流する可能性があり、原水が嫌気性微生物層に接触することなく流出してしまう可能性があった。
このように原水が循環水引抜管を逆流した場合には、混合水または原水が直接にセパレータに流れこんで、処理されずに流出することとなり、処理水の水質が悪化する可能性がある。
【０００５】
本発明は、上記に鑑みてなされたものであって、その目的は、開発途上国等のようにインフラが整備されていない場所に設置される水処理システムであっても、循環水引抜管への原水の逆流を避けるとともに、原水流量の変動、特に原水流量の急激な増加に対して順応力を高めることが可能な水処理システムを提供することにある。
【課題を解決するための手段】
【０００６】
実施形態の水処理システムは、処理対象の被処理水を嫌気性微生物群により嫌気性処理するリアクタと、前記リアクタにおいて得られた処理水とバイオガスとを分離するセパレータと、を備えている。
そして調整槽は、原水をリアクタで処理され、セパレータにより分離された処理水の一部である循環水と混合して調整水としてリアクタに供給する。
ここで、調整槽は、互いに隔壁により隔てられ、原水が貯留される原水貯留部分と、循環水が貯留される循環水貯留部分と、を有し、循環水は、隔壁を乗り越えてオーバーフローすることにより前記原水貯留部分側に一方的に流れ込むようにされている。
【図面の簡単な説明】
【０００７】
【図１】図１は、第１実施形態の水処理システムの概要構成ブロック図である。
【図２】図２は、第２実施形態の水処理システムの概要構成ブロック図である。
【図３】図３は、第３実施形態の水処理システムの概要構成ブロック図である。
【図４】図４は、第４実施形態の水処理システムの概要構成ブロック図である。
【発明を実施するための形態】
【０００８】
次に実施形態について詳細に説明する。
［１］第１実施形態
図１は、第１実施形態の水処理システムの概要構成ブロック図である。
第１実施形態の水処理システム１００は、処理対象の原水Ｗ１を供給する供給配管１と、原水Ｗ１のｐＨ及び温度などを処理に対して好適な状態にするために、後述する循環水Ｗ２と混合して調整水ＷＭとする調整を行う原水貯留部分２ａ及び循環水Ｗ２を貯留する循環水貯留部分２ｂを備えた調整槽２と、原水貯留部分２ａの限界水位を検出するレベルスイッチ（ＬＳ）３と、原水貯留部分２ａ内の調整水ＷＭ（＝Ｗ１＋Ｗ２）を原水貯留部分２ａの底部からリアクタ（反応槽）９に供給するための搬送配管４と、を備えている。
【０００９】
さらに水処理システム１００は、循環水貯留部分２ｂ内にリアクタ９から供給された循環水Ｗ２とともに搬送された嫌気整備生物群を含むグラニュール９ｂを搬送配管４を介して再びリアクタ９に戻す際に開状態とされるバルブ５ａ及び戻し配管５ｂを有する引抜配管５と、搬送配管４を介して供給される調整水ＷＭあるいはリアクタ９に戻されるグラニュール９ｂをリアクタ９に戻すためのポンプ６と、リアクタ９内で分離された処理後の調整水ＷＭの一部を循環水Ｗ２として戻すための循環配管７と、リアクタ９内で気液分離を行うセパレータ８と、調整水ＷＭをグラニュール９と接触させて嫌気消化を行わせるためのリアクタ９と、セパレータ８により分離されたバイオガスを引き抜くためガス送出配管１０と、セパレータ８により分離された処理水Ｗ３を送出する処理水送出配管１１と、を備えている。
【００１０】
上記構成において、調整槽２内において、原水貯留部分２ａと、循環水貯留部分２ｂとは、隔壁ＳＷを介して仕切られている。
隔壁ＳＷの高さは、原水貯留部分２ａにおける最大水量時の水面よりも十分に高く設定されている。これにより、循環水Ｗ２は、隔壁ＳＷを乗り越えてオーバーフローして原水貯留部分２ａに流れ込むが、原水Ｗ１及び原水Ｗ１の浮遊物等が隔壁ＳＷを乗り越えて循環水貯留部分２ｂ側に流れ込むことはないようになっている。
【００１１】
次に第１実施形態の動作を説明する。
まず、原水Ｗ１は供給配管１によって調整槽２の原水貯留部分２ａに供給される。
循環水貯留部分２ｂに収集された循環水Ｗ２は、循環水貯留部分２ｂからオーバーフローすると、原水貯留部分２ａに流れ込んで、原水Ｗ１と混合し、調整水ＷＭとなる。このとき、調整水ＷＭは、ｐＨ及び温度が原水Ｗ１よりも循環水Ｗ２に近づくこととなる。
【００１２】
そして得られた調整水ＷＭは、原水貯留部分２ａの底部（下部）から図示しないフィルタ（金網等）を通すことにより大きなゴミなどが除かれた後、ポンプ６により搬送配管４を介して引き抜かれてリアクタ９の下部に供給される。
そして、調整水ＷＭは、リアクタ９内で上向きに流される。
この結果、調整水ＷＭは、グラニュール９ａを介して、嫌気性微生物と接触し、嫌気性消化プロセスにより処理がなされることとなる。
【００１３】
ここで、嫌気性消化プロセスについて説明する。
嫌気性消化プロセスは、実際には、四つの主要ステージで構成されている。
このため、グラニュール９ａは、嫌気性消化の４段階に関与する細菌で構成されている。
第１ステージ［加水分解］：  炭水化物、脂肪、および蛋白質は、単純な糖、脂肪酸、およびアミノ酸に分解される。
第２ステージ［酸生成］  ：第１ステージにおける反応生成物は、さらに小さなコンポーネント（炭酸酸、アルコール、水素、二酸化炭素、アンモニア）に分割される。
【００１４】
第３ステージ［酢酸生成］：第２ステージの反応生成物は、水素、酢酸、および二酸化炭素に分解される。
第４ステージ［メタン生成］：第４ステージにおいては、第３ステージの反応生成物はメタンと二酸化炭素に変換される。
上記嫌気性消化プロセスにおける一般的なプロセスは、次の化学反応式で表すことができる。
Ｃ６Ｈ１２Ｏ６  →  ３ＣＯ２  ＋  ３ＣＨ４
【００１５】
再び第１実施形態の動作について説明する。
上述したように、リアクタ９内において、嫌気性消化プロセスによりバイオガスが発生するが、バイオガスがグラニュール９ａに付着し、グラニュール９ａの一部が上昇流に乗って上昇する。
【００１６】
そこで、リアクタ９の上部に設置されているセパレータ８により、バイオガスをグラニュール９ａと水から分離することとなる。
そして、セパレータ８により分離されたバイオガスは、ガス送出配管１０によりガス出口まで送出される。
【００１７】
一方、バイオガスと分離されたグラニュール９ａは、グラニュール９ａの高沈降性によりリアクタ９の下部に滞留し、保持される。
また、セパレータ８に設置された循環配管７を介して、処理水Ｗ３の一部は、循環水貯留部分２ｂに送られ、残った処理水Ｗ３は、順次、処理水送出配管１１により送出される。
【００１８】
上記動作と並行して、レベルスイッチ３は、調整水ＷＭの水位（レベル）が上限水位（図中▽印で示す。）に至ったか否かを判別し、調整水ＷＭの水位が上限水位に至った場合には、警報を出すなどの動作を行う。
また、循環水Ｗ２の供給に伴って、循環水貯留部分２ｂの底部にグラニュール９ｂが沈殿した場合には、バルブ５ａをオペレータが開状態とし、戻し配管５ｂを介して、引き抜き、ポンプ６により調整水ＷＭと一緒に流すことで、リアクタ９内に戻されることとなる。
【００１９】
以上の構成によれば、原水Ｗ１の原水貯留部分２ａへ流れ込む原水Ｗ１の流量の変化が循環水Ｗ２の流れには影響せず、原水Ｗ１あるいは調整水ＷＭが循環水貯留部分２ｂに流れ込むことがない。
したがって、循環水貯留部分２ｂ及び循環配管７を介して、原水Ｗ１及び調整水ＷＭがリアクタ９内のセパレータ８内に直接逆流することがなく、逆流に起因して処理水Ｗ３の水質が悪化することがない。
【００２０】
また、循環水Ｗ２とともにセパレータ８から循環水貯留部分２ｂに引き出されているグラニュール９ｂがある場合でも、バルブ５ａ及び戻し配管５ｂを介して、循環水貯留部分２ｂの底部に沈殿したグラニュール９ｂをリアクタ９に戻すことができ、循環水貯留部分２ｂ内のグラニュール９ｂの蓄積を避けることができる。
【００２１】
［２］第２実施形態
図２は、第２実施形態の水処理システムの概要構成ブロック図である。図２において、図１と同様の部分には、同一の符号を付すものとする。
第２実施形態の水処理システム２００は、処理対象の原水Ｗ１を供給する供給配管１と、原水Ｗ１のｐＨ及び温度などを処理に対して好適な状態にするために後述する循環水Ｗ２と混合して調整水ＷＭとする調整を行う原水貯留部分２ａ及び循環水Ｗ２を貯留する循環水貯留部分２ｂを備えた調整槽２と、原水貯留部分２ａの限界水位を検出するレベルスイッチ（ＬＳ）３と、原水貯留部分２ａ内の調整水ＷＭ（＝Ｗ１＋Ｗ２）を原水貯留部分２ａの底部からリアクタ（反応槽）９に供給するための搬送配管４と、を備えている。
【００２２】
さらに水処理システム２００は、循環水貯留部分２ｂ内にリアクタ９から供給された循環水Ｗ２とともに搬送された嫌気整備生物群を含むグラニュール（グラニュール層）９ｂを搬送配管４を介して再びリアクタ９に戻す際に開状態とされるバルブ５ａ及び戻し配管５ｂを有する引抜配管５と、搬送配管４を介して供給される調整水ＷＭあるいはリアクタ９に戻されるグラニュール９ｂをリアクタ９に戻すためのポンプ６と、リアクタ９内で分離された処理後の調整水ＷＭの一部を循環水Ｗ２として戻すための循環配管７と、リアクタ９内で気液分離を行うセパレータ８と、調整水ＷＭをグラニュール９と接触させて嫌気消化を行わせるためのリアクタ９と、セパレータ８により分離されたバイオガスを引き抜くためガス送出配管１０と、セパレータ８により分離された処理水Ｗ３を送出する処理水送出配管１１と、を備えている。
【００２３】
上記構成において、調整槽２内において、原水貯留部分２ａと、循環水貯留部分２ｂとは、隔壁ＳＷ１を介して仕切られている。隔壁ＳＷ１の最下部には、原水貯留部分２ａと、循環水貯留部分２ｂとを連通する孔が設けられている。
本第２実施形態においても、隔壁ＳＷ１の高さは、原水貯留部分２ａにおける最大水量時の水面よりも十分に高く設定されている。これにより、循環水Ｗ２は、隔壁ＳＷ１を乗り越えてオーバーフローして原水貯留部分２ａに流れ込むが、原水Ｗ１及び原水Ｗ１の浮遊物等が隔壁ＳＷを乗り越えて循環水貯留部分２ｂ側に流れ込むことはないようになっている。
【００２４】
さらに本第２実施形態においては、循環水貯留部分２ｂは、隔壁ＳＷ２により、第１循環水貯留部分２ｂ−１と、第２循環水貯留部分２ｂ−２と、に分けられている。
【００２５】
次に第２実施形態の動作を説明する。
まず、原水Ｗ１は供給配管１によって調整槽２の原水貯留部分２ａに供給される。
【００２６】
一方、循環水貯留部分２ｂにおいては、セパレータ８から循環配管７を介して送出された循環水Ｗ２は、第２循環水貯留部分２ｂ−２に導入される。このとき、第２循環水貯留部分２ｂ−２の上面は隔壁ＳＷ２により覆われているため、第１実施形態の場合と異なり、循環配管７を介して流れ込んだばかりの高濃度のグラニュール９ｂが浮遊した状態の循環水Ｗ２が直接的に隔壁ＳＷ１を乗り越えてオーバーフローして、原水貯留部分２ａ側に流れ込むことはない。
【００２７】
すなわち、より確実に循環水貯留部分２ｂの底部にグラニュール９ｂを堆積させることができる。
したがって、循環水Ｗ２とともにセパレータ８から循環水貯留部分２ｂに引き出されて浮遊しているグラニュール９ｂがある場合でも、確実に堆積させて、バルブ５ａ及び戻し配管５ｂを介して、リアクタ９に戻してグラニュール９ｂの再利用を効率的に行える。
【００２８】
そして、循環水Ｗ２は、循環水貯留部分２ｂからオーバーフローすると、原水貯留部分２ａに流れ込んで、原水Ｗ１と混合し、調整水ＷＭとなり、ポンプ６により搬送配管４を介して引き抜かれてリアクタ９の下部に供給され、第１実施形態と同様に処理がなされることとなる。
【００２９】
以上の説明のように、本第２実施形態によれば、第１実施形態の効果に加えて、循環水Ｗ２中に浮遊している高濃度のグラニュール９ｂがそのまま原水貯留部分２ａ側に流れ込むことによる調整水ＷＭの泡立ちを避けることができる。
【００３０】
［３］第３実施形態
図３は、第３実施形態の水処理システムの概要構成ブロック図である。図３において、図１と同様の部分には、同一の符号を付すものとする。
第３実施形態の水処理システム３００は、処理対象の原水Ｗ１を供給する供給配管１と、原水Ｗ１のｐＨ及び温度などを処理に対して好適な状態にするために後述する循環水Ｗ２と混合して調整水ＷＭとする調整を行う原水貯留部分２ａ、循環水Ｗ２を貯留する循環水貯留部分２ｂ及び原水調整部分２ｃを備えた調整槽２と、原水貯留部分２ａの限界水位を検出するレベルスイッチ（ＬＳ）３と、原水貯留部分２ａ内の調整水ＷＭ（＝Ｗ１＋Ｗ２）を原水貯留部分２ａの底部からリアクタ（反応槽）９に供給するための搬送配管４と、循環水貯留部分２ｂ内にリアクタ９から供給された循環水Ｗ２とともに搬送された嫌気整備生物群を含むグラニュール（グラニュール層）９ｂを搬送配管４を介して再びリアクタ９に戻す際に開状態とされるバルブ５ａ及び戻し配管５ｂを有する引抜配管５と、を備えている。
【００３１】
さらに水処理システム３００は、搬送配管４を介して供給される調整水ＷＭあるいはリアクタ９に戻されるグラニュール９ｂをリアクタ９に戻すためのポンプ６と、リアクタ９内で分離された処理後の調整水ＷＭの一部を循環水Ｗ２として戻すための循環配管７と、リアクタ９内で気液分離を行うセパレータ８と、調整水ＷＭをグラニュール９と接触させて嫌気消化を行わせるためのリアクタ９と、セパレータ８により分離されたバイオガスを引き抜くためガス送出配管１０と、セパレータ８により分離された処理水Ｗ３を送出する処理水送出配管１１と、原水調整部分２ｃ内に原水Ｗ１とともに導入されたスラッジ１２が原水調整部分２ｃの底部に堆積した場合に、開状態とされるバルブ１３と、バルブ１３を介して導入されたスラッジ１２を原水調整部分２ｃ外に排出する排出配管１４と、を備えている。
【００３２】
上記構成において、調整槽２内において、原水調整部分２ｃと、原水貯留部分２ａとは、隔壁ＳＷ１１を介して仕切られ、原水貯留部分２ａと、循環水貯留部分２ｂとは、隔壁ＳＷ１２を介して仕切られている。
ここで、隔壁ＳＷ１１の高さは、原水貯留部分２ａにおける最大水量時の水面よりも十分に高く設定されている。これにより、原水調整部分２ｃに供給された原水Ｗ１は、当該原水Ｗ１に含まれるスラッジやゴミ（例えば、石、流木など）が沈殿させられた後に、隔壁ＳＷ１１を乗り越えてオーバーフローして原水貯留部分２ａに流れ込むが、原水Ｗ１及び原水Ｗ１の浮遊物等が隔壁ＳＷ１１を乗り越えて原水貯留部分２ａ側に流れ込むのを抑制することができるようになっている。
【００３３】
また、本第３実施形態においても、隔壁ＳＷ１２の高さは、原水貯留部分２ａにおける最大水量時の水面よりも十分に高く設定されている。これにより、循環水Ｗ２は、隔壁ＳＷ１２を乗り越えてオーバーフローして原水貯留部分２ａに流れ込むが、原水Ｗ１及び原水Ｗ１の浮遊物等が隔壁ＳＷ１２を乗り越えて循環水貯留部分２ｂ側に流れ込むことはないようになっている。
【００３４】
次に第３実施形態の動作を説明する。
まず、原水Ｗ１は供給配管１によって調整槽２の原水調整部分２ｃに供給された原水Ｗ１は、当該原水Ｗ１に含まれるスラッジやゴミが沈殿させられた後に、隔壁ＳＷ１１を乗り越えてオーバーフローして原水貯留部分２ａに供給される。
【００３５】
一方、循環水貯留部分２ｂにおいては、セパレータ８から循環配管７を介して送出された循環水Ｗ２は、循環水貯留部分２ｂからオーバーフローすると、原水貯留部分２ａに流れ込んで、原水Ｗ１と混合し、調整水ＷＭとなり、ポンプ６により搬送配管４を介して引き抜かれてリアクタ９の下部に供給され、第１実施形態と同様に処理がなされることとなる。
また、原水調整部分２ｃ内に原水Ｗ１とともに導入されたスラッジ１２が原水調整部分２ｃの底部に堆積した場合には、バルブ１３が開状態とされて、自重により、あるいは、図示しないポンプを接続して、排出配管１４を介して、スラッジ１２を原水調整部分２ｃ外に排出する。
【００３６】
以上の説明のように、本第３実施形態によれば、第１実施形態の効果に加えて、原水Ｗ１に含まれているスラッジ成分やゴミの原水貯留部分２ａ内へ流れ込みや堆積を抑制できるので、メンテナンス性が向上する。
以上の説明は、第１実施形態の水処理システムに、原水調整部分２ｃを設けた構成となっていたが、第２実施形態の水処理システムに同様に原水調整部分２ｃを設けるように構成することも可能である。
【００３７】
［４］第４実施形態
図４は、第４実施形態の水処理システムの概要構成ブロック図である。
第４実施形態の水処理システム４００は、処理対象の原水Ｗ１を供給する供給配管１Ｂと、供給配管１Ｂを介して供給された原水Ｗ１を貯留する原水タンク２１と、原水タンク２１に貯留された原水Ｗ１を原水Ｗ１の自重により調整タンク２３に供給する供給配管２２と、原水Ｗ１のｐＨ及び温度などを処理により好適な状態にするために後述する循環水Ｗ２と混合して調整水ＷＭとする調整を行う調整タンク２３と、を備えている。
【００３８】
さらに水処理システム４００は、調整タンク２３内の調整水ＷＭを調整水ＷＭの自重によりリアクタ２８の底部に供給する複数の供給配管２４と、リアクタ２８内でセパレータ２７により分離された処理後の調整水ＷＭである処理水Ｗ３の一部をポンプ２６により循環水Ｗ２として調整タンク２３に戻すための循環配管２５と、リアクタ２８内で気液分離を行うセパレータ２７と、調整水ＷＭをグラニュール２８ａと接触させて嫌気消化を行わせるためのリアクタ２８と、セパレータ２７により分離されたバイオガスを引き抜くためガス送出配管２９と、セパレータ２７により分離された処理水Ｗ３を送出する処理水送出配管３０と、を備えている。
【００３９】
上記構成において、原水タンク２１へ流れ込む原水Ｗ１の流量の変化が循環水Ｗ２の流れには影響せず、原水Ｗ１あるいは調整水ＷＭが循環配管２５の系統に流れ込むことがない。
したがって、原水Ｗ１及び調整水ＷＭがリアクタ２８内のセパレータ２７内に直接逆流することがなく、逆流に起因して処理水Ｗ３の水質が悪化することがない。
【００４０】
次に第４実施形態の動作を説明する。
まず、原水Ｗ１は供給配管１Ｂによって、原水タンク２１に供給される。
これにより、原水タンク２１は、供給配管１Ｂを介して供給された原水Ｗ１を貯留する。
原水タンク２１に貯留された原水Ｗ１を原水Ｗ１の自重により供給配管２２を介して、調整タンク２３に供給される。
【００４１】
これと並行して、リアクタ２８内でセパレータ２７により分離された処理後の調整水ＷＭである処理水Ｗ３の一部はポンプ２６により循環配管２５を介して循環水Ｗ２として調整タンク２３に戻される。
これにより、調整タンク２３内では、原水Ｗ１のｐＨ及び温度などを処理に対して好適な状態にするために循環水Ｗ２と混合して調整水ＷＭとする調整がなされる。
【００４２】
そして、調整タンク２３内で調整された調整水ＷＭは、複数の供給配管２４を介して自重によりリアクタ２８の底部に供給される。
この結果、リアクタ２８では、調整水ＷＭをグラニュール２８ａと接触させて嫌気消化を行わせる。
【００４３】
そして、セパレータ２７は、リアクタ２８内で気液分離を行い、セパレータ２７により分離された処理後の調整水ＷＭである処理水Ｗ３の一部は、ポンプ２６により循環水Ｗ２として循環配管２５を介して、調整タンク２３に戻される。
そして、セパレータ２７により分離されたバイオガスは、ガス送出配管２９によりガス出口まで送出される。
【００４４】
一方、バイオガスと分離されたグラニュール２８ａは、グラニュール２８ａの高沈降性によりリアクタ２８の下部に滞留し、保持される。
【００４５】
以上の説明のように、本第４実施形態によれば、原水タンク２１へ流れ込む原水Ｗ１の流量の変化が循環水Ｗ２の流れには影響せず、原水Ｗ１あるいは調整水ＷＭが循環配管２５の系統に流れ込むことがなく、原水Ｗ１及び調整水ＷＭがリアクタ２８内のセパレータ２７内に直接逆流することがなく、逆流に起因して処理水Ｗ３の水質が悪化することがない。
【００４６】
また、原水Ｗ１の流入量などの影響が直接的に調整タンク２３に及ぶのを抑制でき、メンテナンス性が向上する。
【００４７】
［５］実施形態の効果
以上の説明のように、各実施形態によれば、極力、ポンプなどの使用を避けて水処理システムを構築しているので、開発途上国等のように電源供給インフラなどのインフラが整備されていない場所に設置される水処理システムであっても、循環水引抜管への原水の逆流を避けるとともに、原水流量の変動、特に原水流量の急激な増加に対して順応力を高めることが可能となる。
［６］実施形態の変形例
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４８】
１、１Ｂ  供給配管
２    調整槽
２ａ  原水貯留部分
２ｂ  循環水貯留部分
２ｂ−１  第１循環水貯留部分
２ｂ−２  第２循環水貯留部分
２ｃ  原水調整部分
３    レベルスイッチ
４    搬送配管
５    引抜配管
５ａ  バルブ
５ｂ  配管
６    ポンプ
７    循環配管
８    セパレータ
９    リアクタ
９ａ  グラニュール
９ｂ  グラニュール
Ｗ３  処理水
１０  ガス送出配管
１１  処理水送出配管
１２  スラッジ
１３  バルブ
１４  排出配管
２１  原水タンク
２２  供給配管
２３  調整タンク
２４  供給配管
２５  循環配管
２６  ポンプ
２７  セパレータ
２８  リアクタ
２８ａ  グラニュール
２９  ガス送出配管
３０  処理水送出配管
ＳＷ１１  隔壁
ＳＷ１２  隔壁
１００  水処理システム
２００  水処理システム
３００  水処理システム
４００  水処理システム
ＳＷ、ＳＷ１、ＳＷ２、ＳＷ１２  隔壁
ＳＷ１１  隔壁（原水隔壁）
Ｗ１  原水
Ｗ２  循環水
ＷＭ  調整水
【図１】
2015120169.tif 000003
【図２】
2015120169.tif 000004
【図３】
2015120169.tif 000005
【図４】
2015120169.tif 000006